(57)【要約】【課題】電子機器に設けられた表示装置の表示面を電子機器の製造工程においても保護し、更にユーザー等によって電子機器が実質的に使用されるまで保護する。【解決手段】表示装置の表示面（タッチパネルのタッチ面）ＡＲに、その表示面ＡＲと同等以下の大きさの保護シートＳＨbを貼り付けて前面パネル２の裏面側に取り付け、前面パネル２に形成されている、表示面ＡＲと同等の大きさに形成されている開口２ａから保護シートＳＨbが見えるようにする。そして、製造した電子機器１００を製品出荷し、電子機器１００の使用に際してユーザー等が表示面ＡＲから保護シートＳＨbを剥離すまで、保護シートＳＨbによって表示面ＡＲを保護する。ユーザー等が表示面ＡＲから保護シートＳＨbを剥離する際、保護シートＳＨbの一端に切り込みＮＦ１，ＮＦ１が設けられているタグ部ＴＧをめくり上げ、更にめくり上げたタグ部ＴＧを引き上げることで保護シートＳＨb全体を容易に剥離して表示面ＡＲを露出させる。【選択図】図１
2008070762.tif 000002
【特許請求の範囲】
【請求項１】
表示装置を有する電子機器の前記表示装置の表示面を保護する表示装置の保護構造であって、
前記電子機器の製造工程で前記表示装置の表示面に剥離可能な保護シートが貼り付けられ、前記電子機器の使用に際して前記表示面から前記保護シートが剥離されるまで、前記保護シートにより前記表示面を保護すること、
を特徴とする保護構造。
【請求項２】
前記表示装置は、ディスプレイ手段と、前記ディスプレイ手段の表示面に設けられる透明なタッチパネルとを有して構成され、
前記タッチパネルのタッチ面に前記保護シートが貼り付けられること、
を特徴とする請求項１に記載の表示装置の保護構造。
【請求項３】
前記保護シートは、前記表示装置の表示面に、剥離のための隙間を空けて貼り付けられること、
を特徴とする請求項１又は２に記載の表示装置の保護構造。
【請求項４】
前記保護シートは、前記剥離の際、前記隙間を介して引き上げられるタグ部が形成されていること、
を特徴とする請求項３に記載の表示装置の保護構造。
【請求項５】
表示装置を有する電子機器の前記表示装置の表示面を保護する保護方法であって、
前記電子機器の製造工程において、前記表示装置の表示面に剥離可能な保護シートが貼り付けられる工程を有し、
前記電子機器の使用に際して前記表示面から前記保護シートが剥離されるまで、前記保護シートにより前記表示面を保護すること、
を特徴とする保護方法。
【発明の詳細な説明】
【技術分野】
【０００１】
本発明は、例えば液晶表示ユニット、有機ＥＬディスプレイユニット等の表示装置を備えた電子機器のその表示装置の表示面を保護する保護構造と保護方法に関する。
【背景技術】
【０００２】
例えば液晶表示ユニット、有機ＥＬディスプレイユニット等のフラットパネルディスプレイ（Flat Panel Display：ＦＰＤ）と呼ばれる表示装置を備えて表示を行う電子機器では、製品品質を維持してユーザー等に提供するため、表示装置の表示面を保護することが重要となっている。
【０００３】
従来の保護方法では、広く知られているように、発泡スチロール等の合成樹脂で形成された薄い保護袋に電子機器を収納することで、表示装置の表示面を含めて電子機器全体を一括保護し、化粧箱に梱包して製品出荷している。
【０００４】
また、製品出荷前の品質検査等の際に、表示装置の表示面に剥離可能な保護シートを貼り付けた後、合成樹脂製の薄い保護袋に電子機器を収納し、化粧箱に梱包して製品出荷することも行われている。
【０００５】
上述した前者の保護方法では、製品購入者であるユーザー等が電子機器を保護袋から取り出すまで、表示装置の表示面を保護できるようにし、後者の保護方法では、ユーザー等が電子機器を保護袋から取り出し更に保護シートを剥がすまで、表示装置の表示面を保護できるようにしている。
【発明の開示】
【発明が解決しようとする課題】
【０００６】
ところが、前者の保護方法では、保護袋から取り出すと、いわゆる美品の状態で直ぐに使用することが可能となる例えば携帯電話やＰＤＡ（Personal Digital Assistants：携帯情報端末）等における表示面を効果的に保護することができるが、例えば自動車への取り付け作業を行った後でなければ実質的に使用できないカーナビゲーション装置等の電子機器、つまり保護袋から取り出して所定の初期作業を必要する電子機器では、ユーザー等がその初期作業の際に不可避的に表示装置の表示面を汚してしまったり傷を付けてしまい、美品の状態で実質的な使用を開始することができない場合がある。
【０００７】
また、車載製品の販売や取り付け作業を行う専門店等が、カーナビゲーション装置等の電子機器を自動車に取り付ける際、美品の状態でユーザー等に実質的な使用を開始してもらうため、表示面を汚したり傷を付けないように細心の注意を払って作業する必要があり、初期作業が煩雑となるという課題もある。
【０００８】
一方、後者の保護方法では、ユーザー等が保護袋から取り出し更に保護シートを剥がすまで、表示装置の表示面を保護できることから、カーナビゲーション装置等の電子機器を保護袋から取り出して自動車に取り付けた後、保護シートを剥がすことで、美品の状態で実質的な使用を開始することができる。このため、後者の保護方法のほうが前者の保護方法より、より効果的に表示面を保護することが可能である。
【０００９】
ところが、後者の保護方法では、上述したように製造メーカーが電子機器を製造し、品質検査に合格した電子機器に保護シートを貼り付けてから製品出荷することから、保護シートを貼り付ける前の製造工程や組み立て工程において表示装置の表示面を保護することを想定していない。このため、製造工程や組み立て工程において表示装置の表示面に傷や塵などの汚染が生じると品質検査で不合格となり、製品出荷できなくなることから結果的にコスト高を招いたり、また、不良品を低減するための歩留まりの向上には寄与しないという課題がある。
【００１０】
このように、従来の前者の保護方法では、カーナビゲーション装置等の初期作業を必要とする電子機器の保護方法としては改善すべき課題が残っており、後者の保護方法では、製造メーカー側での製造工程や組み立て工程を含めて更なる検討を要する課題が残っていた。
【００１１】
更に、カーナビゲーション装置や、携帯電話、ＰＤＡ等の高密度設計が必要で、構造上の制約のある電子機器では、表示装置の表示面と同等の大きさの開口を前面パネルに形成し、その表示面と開口とを位置合わせして前面パネルの裏面に表示装置を組み付けて、表示面が開口を介して外部に現れるようにする構造とすることが一般的に行われており、開口の全範囲で表示面に映し出される映像等を表示する等の構造となっている。
【００１２】
こうした構造では、表示装置の表示面に保護シートを貼り付けて保護することとすると、前面パネルの裏面に表示装置を組み付けた際、保護シートが位置ズレして貼り付けられていた結果、保護シートが部分的に表示装置と前面パネルの裏面との間に挟まった状態となり、保護シートを開口を介して表示面から剥離することができなくなる等の問題を生じる。
【００１３】
特に、カーナビゲーション装置や、携帯電話、ＰＤＡ等の高密度設計が必要で、構造上の制約のある電子機器では、保護シートによる表示面の保護構造も高密度設計が必要で、構造上の制約を生じることから、製造技術の向上を図るという点において、解決すべき重要な課題となっていた。
【００１４】
本発明は、上記従来の課題に鑑みてなされたものであり、表示装置を備えた電子機器の製品品質の向上を図り、更に表示装置の表示面をより効果的に保護してユーザー等に提供することを可能にする、表示装置の保護構造と保護方法を提供することを目的とする。
【００１５】
また、カーナビゲーション装置や、携帯電話、ＰＤＡ等の高密度設計が必要で構造上の制約のある電子機器に対し、製造技術の向上をもたらし、効果的に表示装置の表示面を保護することが可能な表示装置の保護構造と保護方法を提供することを目的とするものである。
【課題を解決するための手段】
【００１６】
請求項１に記載の発明は、表示装置を有する電子機器の前記表示装置の表示面を保護する表示装置の保護構造であって、前記電子機器の製造工程で前記表示装置の表示面に剥離可能な保護シートが貼り付けられ、前記電子機器の使用に際して前記表示面から前記保護シートが剥離されるまで、前記保護シートにより前記表示面を保護すること、を特徴とする。
【００１７】
請求項５に記載の発明は、表示装置を有する電子機器の前記表示装置の表示面を保護する保護方法であって、前記電子機器の製造工程において、前記表示装置の表示面に剥離可能な保護シートが貼り付けられる工程を有し、前記電子機器の使用に際して前記表示面から前記保護シートが剥離されるまで、前記保護シートにより前記表示面を保護すること、を特徴とする。
【発明を実施するための最良の形態】
【００１８】
本発明の好適な実施形態について、図１乃至図５を参照して説明する。 
本発明は基本的に、電子機器を限定するものではなく、広く電子機器に備えられた表示装置の表示面を保護することができるが、一実施形態として、自動車に搭載されるカーナビゲーション装置に設けられる表示装置の表示面を保護する保護構造と保護方法について説明する。
【００１９】
図１(a)(b)(c)は、本実施形態に係るカーナビゲーション装置１００の外観を示した斜視図である。同図(a)は、品質検査が完了し製品出荷される際の状態を表している。同図(b)は、自動車に取り付けるための初期作業が完了した後、実質的な使用を開始する際に、保護シートＳＨｂが表示面ＡＲから剥離されている途中の状態を表している。同図(c)は、保護シートＳＨｂが表示面ＡＲから剥離された状態を表している。
【００２０】
図１(a)(b)(c)に基づいて、カーナビゲーション装置１００の構造を概説すると、電源や電子回路基板等が内蔵された装置本体部分に当たる筐体１の前面に、表示領域となっている長方形状の開口２ａが成形された枠体（前面パネル）２が一体に固定されている。また、前面パネル２の下部に位置する側部２ｃの前面に、電源スイッチや制御スイッチ等の操作スイッチＳ１〜Ｓ５が設けられている。
【００２１】
前面パネル２には、上述の開口２ａを画成する上下左右の側部２ｂ，２ｃ，２ｄ，２ｅの裏面側に、表示装置である液晶表示ユニットＬＣＤＵが組み付けられ、更に、液晶表示ユニットＬＣＤＵの表示面ＡＲに映し出される映像等が開口２ａのほぼ全範囲で表示されるように、表示面ＡＲと開口２ａとが位置合わせして取り付けられている。
つまり、所定のビジュアルサイズ（実際に表示される画面の大きさ）に形成されている液晶表示ユニットＬＣＤＵの表示面ＡＲと同じ大きさ及び形状で、前面パネル２の開口２ａが精密に成形されており、表示面ＡＲと開口２ａとを合致させて、液晶表示ユニットＬＣＤＵが前面パネル２の側部２ｂ，２ｃ，２ｄ，２ｅの裏面側に組み付けられているため、液晶表示ユニットＬＣＤＵの表示面ＡＲに映し出される映像等が開口２ａからずれることなく、開口２ａのほぼ全範囲で表示されるようになっている。
【００２２】
また、図１(a)に示すように、製品出荷される際には、表示面ＡＲに対して安定した初期粘着性と軽剥離性を有し、開口２ａ及び表示面ＡＲよりも僅かに面積が小さく相似形（長方形）状の保護シートＳＨｂが、表示面ＡＲに貼り付けられている。
【００２３】
このように表示面ＡＲに保護シートＳＨｂが貼り付けられることで、表示面ＡＲを保護する保護構造が実現されており、更に、表示面ＡＲの外周部分（保護シートＳＨｂが貼り付けられていない部分）を開口２ａ側に露出させる所定幅Ｗsの狭い帯状の隙間ＳＬが生じることとなり、その隙間ＳＬを介して保護シートＳＨｂの一端をめくり上げると、容易に剥離することができる構造となっている。
【００２４】
更に、図１(a)に示すように、保護シートＳＨｂの一端には、ナイフエッジで線状に切られたような切り込みＮＦ１，ＮＦ１が予め形成されている。保護シートＳＨｂを剥離する際、図１(b)に示すように、上述の隙間ＳＬを介して切り込みＮＦ１，ＮＦ１間の保護シートＳＨｂの端部（以下「タグ部」と称する）ＴＧをめくり上げ、更にタグ部ＴＧを引き上げるようにすると、タグ部ＴＧに引きずられて保護シートＳＨｂを表示面ＡＲから容易に剥離し、図１(c)に示すように、表示面ＡＲを露出させることが可能となっている。
【００２５】
なお、保護シートＳＨｂには高分子ポリマー等の粘着剤が塗布され、粘着剤を介して保護シートＳＨｂが表示面ＡＲに貼り付けられている。このため、製造工程で、保護シートＳＨｂが表示面ＡＲに貼り付けれると、上述の安定した初期粘着性によって表示面ＡＲに貼り付けられたままとなり、上述の剥離の際には、軽剥離性によって表示面ＡＲから粘着剤と一緒に容易に剥離することができるようになっている。
【００２６】
次に、図２乃至図５に基づいて、カーナビゲーション装置１００の製造工程を説明することで、表示面ＡＲの保護構造と保護方法について更に詳述する。図２は、前面パネル２と、液晶表示ユニットＬＣＤＵと、前面パネル２に液晶表示ユニットＬＣＤＵを位置決めして固定する固定枠体３との構造を示した分解斜視図であり、前面パネル２の裏面側から見た場合を示している。図３、図４、図５は、保護シートＳＨｂの取り付け方法等を説明するための平面図等である。
【００２７】
まず、図２に基づいて、前面パネル２と固定枠体３と液晶表示ユニットＬＣＤＵの構造について説明する。
【００２８】
前面パネル２は、プラスチックで一体成型されており、開口２ａを画成する側部２ｂ，２ｃ，２ｄ，２ｅの裏面側に、長方形状の固定枠体３を嵌合させる所定幅Ｗaの回廊状の凹段部２ｆと複数の突起２ｇが形成され、側部２ｃには上述の操作スイッチＳ１〜Ｓ５が設けられている。また、凹段部２ｆの深さＤaは固定枠体３の厚さＴ3より大きく、固定枠体３を嵌合して更に液晶ディスプレイ５を部分的に嵌合することが可能な深さに形成されている。
【００２９】
固定枠体３もプラスチックで一体成型されており、開口２ａと同じ大きさの長方形状の開口３ａを有し、開口３ａを画成する側部３ｂ，３ｃ，３ｄ，３ｅの裏面側に、後述の長方形状のタッチパネル４を嵌合させる所定幅Ｗbの回廊状の凹段部３ｆが形成されている。また、凹段部３ｆの深さＤbはタッチパネル４の厚さＴ4に合わせられている。
【００３０】
タッチパネル４は、ユーザー等が指や専用ペン等でタッチ面（符号略）に接触すると、その接触を感知し、ユーザー等の入力情報としてカーナビゲーション装置１００に内蔵されているマイクロプロセッサ（ＭＰＵ）等に供給するために設けられている。そして、タッチパネル４は、液晶ディスプレイ５の液晶表示領域に映し出される映像等を透過する透明な抵抗膜方式タッチパネルで形成されており、固定枠体３の開口３ａ側に面して上述のタッチ面が設けられている。更に、タッチ面は、液晶ディスプレイ５の液晶表示領域と固定枠体３の開口３ａ及び前面パネル２の開口２ａとほぼ同じ面積及び形状となっている。
【００３１】
タッチパネル４と液晶ディスプレイ５とによって液晶ディスプレイユニットＬＣＤＵが構成され、タッチパネル４のタッチ面と液晶ディスプレイ５の液晶表示領域とが重なった領域が、上述した所定のビジュアルサイズの表示面ＡＲとなっている。したがって、図１(c)に示したように、タッチパネル４のタッチ面が表示面ＡＲとして、前面パネル２の開口２ａから前面に現れ、その表示面ＡＲにて、液晶ディスプレイ５の液晶表示領域に映し出される映像等が表示され、更に表示面ＡＲに指や専用ペン等で接触すると、カーナビゲーション装置１００を操作等ための情報入力を行うことができる。
【００３２】
また、図１(a)に示すように、タッチパネル４のタッチ面（表示面ＡＲ）に保護シートＳＨｂが貼り付けられ、タッチパネル４の裏面と液晶ディスプレイ５の液晶表示領域とを接触させて、固定枠体３を介して前面パネル２の裏面側に一体に組み付けられている。
【００３３】
液晶ディスプレイ５は、上述したように、タッチパネル４側に所定のビジュアルサイズの液晶表示領域が設けられ、タッチパネル４と液晶ディスプレイ５とによって液晶表示ユニットＬＣＤＵが構成されている。
【００３４】
そして、タッチパネル４を固定枠体３の凹段部３ｆに嵌合させて、固定枠体３を前面パネル２の凹段部２ｆに嵌合させ、次に、液晶ディスプレイ５の液晶表示領域をタッチパネル４の裏面に接触させて前面パネル２の凹段部２ｆに嵌合させることで、前面パネル２と固定枠体３とタッチパネル４と液晶ディスプレイ５とが一体に組み付けられ、前面パネル２の開口２ａと固定枠体３の開口３ａとタッチパネル４のタッチ面と液晶ディスプレイ５の液晶表示領域とが合致して、所定のビジュアルサイズの表示面ＡＲが実現されている。
【００３５】
次に、カーナビゲーション装置１００の製造工程について、工程順に説明する。 
【００３６】
（工程１） 
まず、図３(a)に示す転写シート６に設けられている中間生成体としての保護シートＳＨを図３(c)に示すタッチパネル４のタッチ面側に貼り付ける。
【００３７】
ここで、転写シート６は、タッチパネル４と同じ大きさ且つ形状に成形されており、ベースシートＢＳの表面に、剥離可能な中間生成体としての保護シートＳＨが貼り付けられた積層構造を有している。保護シートＳＨの周縁には、ナイフエッジで線状に切られたような切り込みＮＦ２が、タッチパネル４のタッチ面の大きさに合わせて予め長方形状に形成され、更にタグ部ＴＧを生じさせる上述の切り込みＮＦ１，ＮＦ１も予め形成されている。そして、切り込みＮＦ２より外周側の部分（以下、「縁部」と称する）ＳＨａが、固定枠体３の凹段部３ｆの幅Ｗbと隙間ＳＬの幅Ｗsとの合計幅（Ｗb＋Ｗs）に設定され、切り込みＮＦ２より内側が上述した保護シートＳＨｂの部分となっている。
【００３８】
図３(b)は、図３(a)のＸ１−Ｘ１矢視断面図である。図３(b)に基づいて転写シート６の断面構造を更に説明すると、ベースシートＢＳの表面に塗布された高分子ポリマー等の第１の粘着剤（図示略）を介在して保護シートＳＨが剥離可能に貼り付けられている。第１の粘着剤は、保護シートＳＨに対して軽剥離性を有している。更に保護シートＳＨの上面に、タッチパネル４に貼り付けられる粘着剤（上述した初期粘着性と軽剥離性を生じさせる粘着剤）が塗布されている。
【００３９】
そして、工程１では、保護シートＳＨとタッチパネル４とを、ずれないように重ね合わせて、保護シートＳＨ側の面をタッチパネル４のタッチ面側に貼り合わせる。
【００４０】
（工程２） 
次に、図３(d)の断面図に示すように、ベースシートＢＳを保護シートＳＨからから剥離する。これにより、第１の粘着剤もベースシートＢＳと一緒に保護シートＳＨから剥離される。結果、図３(d)の断面図に示すように、タッチパネル４の表面に、中間生成体としての保護シートＳＨが転写されることになる。
【００４１】
また、保護シートＳＨに第１の粘着剤が残存しないため、製造工程中に、保護シートＳＨの表面に塵等が付着することを未然に防止し、ひいては、タッチパネル４のタッチ面を保護することが可能となっている。
【００４２】
（工程３） 
次に、上述の工程２で保護シートＳＨが転写されたタッチパネル４（図４(a)の平面図を参照）から、縁部ＳＨａを剥離する。これにより、図４(b)に示すように、縁部ＳＨａの幅（Ｗb＋Ｗs）に合わせてタッチパネル４の外周領域が露出し、一方、タッチパネル４のタッチ面が保護シートＳＨｂで保護されたままとなる。
【００４３】
（工程４） 
次に、図２を参照して説明したように、保護シートＳＨｂ側を固定枠体３の開口３ａ側に向けて、タッチパネル４を固定枠体３の凹段部３ｆに嵌合させ、更に、固定枠体３を前面パネル２の凹段部２ｆに嵌合させ、次に、液晶ディスプレイ５の液晶表示領域をタッチパネル４の裏面に接触させて前面パネル２の凹段部２ｆに嵌合させることで、前面パネル２と固定枠体３とタッチパネル４と液晶ディスプレイ５とを一体に組み付ける。
【００４４】
これにより、図４(c)の平面図と、図４(c)のＸ２−Ｘ２矢視断面図４(d)と、拡大図５(a)に示すように、タッチパネル４の幅（Ｗb＋Ｗs）の外周領域（保護シートＳＨｂが貼り付けられていない領域）のうち、幅Ｗbの外周領域が、固定枠体３に形成されている幅Ｗbの凹段部２ｆに当接して固定され、残りの幅Ｗsの外周領域が、固定枠体３の開口３ａと前面パネル２の開口２ａから露出し、幅Ｗsの隙間ＳＬが生じることとなる。
【００４５】
なお、図５(a)は、図４(d)に示した嵌合構造等を拡大して示した断面図である。 
そして、所定の電気配線等を行って、図１(a)に示したように前面パネル２を筐体１に取り付けることで、ナビゲーション装置１００を完成する。
【００４６】
このように、工程１と工程２で、タッチパネル４と同形状の転写シート６をタッチパネル４に重ね合わせてから中間生成体としての保護シートＳＨをタッチパネル４のタッチ面側に貼り付け、次に、工程３で、タッチパネル４のタッチ面に保護シートＳＨbを貼り付けたまま、切り込みＮＦ２に沿って縁部ＳＨａを剥離することによりタッチパネル４の外周領域を幅（Ｗb＋Ｗs）で露出させておくので、高い位置決め精度で、幅Ｗsの隙間ＳＬを生じさせ、且つタッチパネル４を固定枠体３の凹段部３ｆに固定することが可能となっている。
【００４７】
仮に、工程１と工程２において、タッチパネル４と同形状の転写シート６をタッチパネル４に重ね合わせてから中間生成体としての保護シートＳＨをタッチパネル４のタッチ面側に貼り付けるという処理を省略し、工程３において、保護シートＳＨｂと同じ形状の「別の保護シート」を別途にタッチパネル４のタッチ面側に直接貼り付けてから、工程４の組み付け処理を行うこととすると、処理工程の簡素化が可能となる考えることもできるが、こうした処理工程では、上述の「別の保護シート」をタッチパネル４のタッチ面に高精度で貼り付けることが難しく、いざ工程４で組み付け処理を行うと、「別の保護シート」が位置ズレして貼り付けられた結果、固定枠体３の凹段部３ｆに「別の保護シート」が部分的に重なって、凹段部３ｆとタッチパネル４との間にスタックした状態で取り付けられてしまい、「別の保護シート」をタッチパネル４から剥離できなくなる等の問題を生じる場合がある。更に、幅Ｗsの隙間ＳＬを高精度で生じさせることができず、「別の保護シート」をユーザー等が剥離する際に支障をきたす場合がある。更に、隙間ＳＬが生じたとしても、「別の保護シート」がタッチパネル４のタッチ面に対して位置ズレして貼り付けられたのでは、美観上の問題が生じることにもなる。
【００４８】
特に、本実施形態のカーナビゲーション装置１００のように、高密度設計を要する構造上極めて制約の有る電子機器では、液晶ディスプレイ５の液晶表示領域とタッチパネル４のタッチ面と、前面パネル２及び固定枠体３の開口２ａ，３ａとを同じ大きさ及び形状にし、それら部品を高精度で位置決めして表示領域ＡＲを実現する必要があることから、表示領域ＡＲと同等の形状で僅かに小さい面積の上述の「別の保護シート」をタッチパネル４のタッチ面に対して位置ズレを生じないように、貼り付けることは極めて困難であり、上述したように、「別の保護シート」が凹段部３ｆとタッチパネル４との間にスタックした状態で取り付けられてしまったり、ユーザー等が剥離する際に支障をきたすこととなったり、美観を損ねる等の問題が生じる可能性が極めて高くなる。
【００４９】
このため、保護シートＳＨｂと同じ形状の「別の保護シート」を別途にタッチパネル４のタッチ面側に直接貼り付けてから工程４の組み付け処理を行うという仮の方法では、製造技術としても問題が残り、実施することが困難である。
【００５０】
また、更に他の仮の方法として、上述の工程１、工程２、工程３において、タッチパネル４のタッチ面側に保護シートＳＨｂを貼り付けるという処理を止めてしまい、工程４の組み付け工程を終えた後に、保護シートＳＨｂをタッチパネル４のタッチ面に貼り付けるという方法も考えれられるが、この方法では、前面パネル２の開口２ａ側から保護シートＳＨｂを貼り付けることになるため、極めて困難且つ煩雑な作業を要することとなる。更に、製造工程の途中で、タッチパネル４のタッチ面を保護しないこととなるため、タッチ面が汚染される場合がある。
【００５１】
特に、上述したように、本実施形態のカーナビゲーション装置１００のように、高密度設計を要する構造上極めて制約の有る電子機器では、表示領域ＡＲと同等の形状で僅かに小さい面積の保護シートＳＨｂを前面パネル２の開口２ａ側から高精度で位置決めして貼貼り付けることは、製造技術としても問題が残り、実施することが困難である。
【００５２】
こうした２態様の仮の方法に対して、本実施形態では、上述したように、タッチパネル４と同形状の転写シート６をタッチパネル４に重ね合わせてから中間生成体としての保護シートＳＨをタッチパネル４のタッチ面側に貼り付け、次に、タッチパネル４のタッチ面に保護シートＳＨbを貼り付けたまま、切り込みＮＦ２に沿って縁部ＳＨａを剥離することによりタッチパネル４の外周領域を幅（Ｗb＋Ｗs）で露出させておくので、高い位置決め精度で、幅Ｗsの隙間ＳＬを生じさせ、且つタッチパネル４を固定枠体３の凹段部３ｆに固定することが可能であり、製造技術としても問題が無く、表示面ＡＲを効果的に保護する保護構造と保護方法を実現することが可能となっている。
【００５３】
(工程５） 
次に、完成したナビゲーション装置１００を品質検査し、合格すると発泡スチロール等の合成樹脂で形成された薄い保護袋にナビゲーション装置１００を収納し、化粧箱に梱包して製品出荷する。
【００５４】
そして、ナビゲーション装置１００を購入したユーザー等や、販売店等は、化粧箱から取り出し、更に保護袋から取り出して自動車に取り付けるための初期作業を行うこととなるが、保護シートＳＨｂを剥離しないで初期作業を行い、初期作業が完了しユーザー等が実質的な使用を開始する際に、図１(b)に示したように、切り込みＮＦ１，ＮＦ１間のタグ部ＴＧを隙間ＳＬからめくり上げ、更にタグ部ＴＧを引き上げることで保護シートＳＨｂ全体を表示面ＡＲから剥離し、図１(c)に示すように表示面ＡＲを露出させ、実質的な使用を開始する。
【００５５】
以上に説明したように、本実施形態によると次に述べる効果が得られる。 
まず、図４(a)(b)と図１(a)で説明したように、製造工程において、タッチパネル４のタッチ面（表示面ＡＲ）に保護シートＳＨｂを貼り付けてから、ナビゲーション装置１００を完成する。このため、タッチ面（表示面ＡＲ）が塵等によって汚染されることなく、ナビゲーション装置１００を製造することができる。
【００５６】
更に、図１(b)(c)に示したように、ナビゲーション装置１００を購入したユーザー等や販売店等が自動車に取り付けるための初期作業を行う際、保護シートＳＨｂを剥離しないで初期作業を行い、初期作業が完了し実質的な使用を開始する際に、保護シートＳＨｂ全体を表示面ＡＲから剥離することにより、表示面ＡＲを傷付けたり汚染することを防止することができる。このため、ユーザー等や販売店等は、表示面ＡＲを傷付けたり汚染しないように注意を払って初期作業をする必要がなくなり、更にいわゆる美品の状態でユーザー等が実質的な使用を開始することができる。
【００５７】
このように、本実施形態の表示装置の保護構造と保護方法によれば、製造工程においても、表示面ＡＲを保護シートＳＨｂで保護することができ、更に製品出荷後、ユーザー等が実質的な使用を開始するまで、表示面ＡＲを保護シートＳＨｂで保護することができるため、ナビゲーション装置１００の製品品質の向上を図り、更に表示面ＡＲを効果的に保護してユーザー等に提供することが可能である。
【００５８】
更に、本実施形態の表示装置の保護構造と保護方法によれば、前述したように、タッチパネル４と同形状の転写シート６をタッチパネル４に重ね合わせてから中間生成体としての保護シートＳＨをタッチパネル４のタッチ面側に貼り付け、次に、タッチパネル４のタッチ面に保護シートＳＨbを貼り付けたまま、切り込みＮＦ２に沿って縁部ＳＨａを剥離することによりタッチパネル４の外周領域を幅（Ｗb＋Ｗs）で露出させておく（図４(b)参照）ので、高い位置決め精度で、幅Ｗsの隙間ＳＬを生じさせ、且つタッチパネル４を固定枠体３の凹段部３ｆに固定することが可能であり（図５(a)参照）、製造技術としても問題が無く、表示面ＡＲを効果的に保護する保護構造と保護方法を実現することが可能となっている。
【００５９】
なお、以上に説明したナビゲーション装置１００では、図２に示したように、固定枠体３にタッチパネル４を嵌合させて前面パネル２の裏面側に取り付ける構造となっているが、固定枠体３と同じ構造を予め前面パネル２に一体成型しておき、前面パネル２に直接タッチパネル４を嵌合させる構造としてもよい。
【００６０】
また、本実施形態のナビゲーション装置１００ではタッチパネル４が設けられているが、タッチパネル４を設けないナビゲーション装置では、図４(a)〜(d)で示したのと同様の工程によって、液晶ディスプレイ５の液晶表示領域に保護シートＳＨｂを貼り付けて前面パネル２の裏面側に組み付け、保護シートＳＨｂを剥離すると液晶表示領域が表示面ＡＲとなるようにしてもよい。
【００６１】
また、本実施形態のナビゲーション装置１００では、保護シートＳＨｂを剥離することとしているが、保護シートＳＨｂを透明なプラスッチックシート等で形成し、ユーザー等が剥離しないで使用するようにしてもよい。かかる保護構造によれば、上述の初期作業が完了し、実質的な使用を開始する場合に保護シートＳＨｂを剥離しないで使用すると、継続的に表示面ＡＲを保護することができるため、ユーザー等にとって利便性を向上させることができる。仮に初期作業の際に、その透明な保護シートＳＨｂの表面が汚れた場合でも、汚れを拭き取って透明度を戻すことができるため、継続的に表示面ＡＲを保護しつつ使用することができ、ユーザー等にとって利便性を向上させることができる。
【００６２】
また、図１(b)を参照して説明したように、本実施形態では、隙間ＳＬを介してタグ部ＴＧを引き上げることで、切り込みＮＦ１，ＮＦ１に沿ってめく上げることができ、保護シートＳＨｂ全体を簡単に剥離させることができる構造となっているが、変形例として、図５(b)の断面図にて示しように、適宜の製造工において、タグ部ＴＧの表面に、予め可撓性等を有するリボン等の突起部材を固着しておき、ユーザー等がナビゲーション装置１００を実質的に使用する際、その突起部材を引き上げることでタグ部ＴＧをめくり上げ、更にタグ部ＴＧと一緒に保護シートＳＨｂ全体を剥離させる構造としてもよい。
【００６３】
また、液晶ディスプレイ５によって映像等を表示するナビゲーション装置１００について説明したが、液晶ディスプレイ５の代わりに、有機ＥＬディスプレイ等の他のフラットパネルディスプレイを用いたナビゲーション装置にも、本実施形態の保護装置と保護方法を適用することが可能である。
【００６４】
また、本実施形態は、ナビゲーション装置に限らず、表示装置を備えた携帯電話やＰＤＡ等の電子機器に広く応用することが可能である。
【図面の簡単な説明】
【００６５】
【図１】実施形態に係るナビゲーション装置の外観を示した斜視図である。
【図２】図１に示したナビゲーション装置に設けられた前面パネルと固定枠体とタッチパネル及び液晶ディスプレイの構造と製造工程を説明するための分解斜視図である。
【図３】図２に示したタッチパネルに貼り付けられる保護シートの構造と貼り付け方法を説明すための平面図等である。
【図４】図２に示した保護シートが貼り付けられたタッチパネルを前面パネルに取り付ける際の工程を説明するための平面図等である。
【図５】図４(d)の部分拡大図と、変形例を説明するための説明図である。
【符号の説明】
【００６６】
１００…ナビゲーション装置（電子機器）
ＡＲ…表示面
４…タッチパネル
５…液晶ディスプレイ（ディスプレイ手段）
ＬＣＤＵ…液晶ディスプレイユニット（表示装置）
ＴＧ…タグ部
ＳＬ…隙間
【図１】
2008070762.tif 000003
【図２】
2008070762.tif 000004
【図３】
2008070762.tif 000005
【図４】
2008070762.tif 000006
【図５】
2008070762.tif 000007